(57)【要約】【課題】霧化装置及びその操作方法を提供する。【解決手段】圧電アクチュエータを有する霧化回路と、電圧を霧化回路に選択的に提供するための電源回路と、第１の液体に対応する第１のパラメータ群又は第２の液体に対応する第２のパラメータ群を選択するための選択インタフェースと、第１のパラメータ群が選択されると、第１の電圧を霧化回路に提供するように電源回路を制御し、更に、第１の粒子径に基づいて第１の液体を霧化させ放出させるように圧電アクチュエータを駆動させ、第２のパラメータ群が選択されると、第２の電圧を霧化回路に提供するように電源回路を制御し、更に、第２の粒子径に基づいて第２の液体を霧化させ放出させるように圧電アクチュエータを駆動させるための制御回路と、を含む霧化装置。【選択図】図１
2019042467.tif 000002
【特許請求の範囲】
【請求項１】
圧電アクチュエータを有する霧化回路と、
前記霧化回路と電気的に結合し、電圧を前記霧化回路に選択的に提供するための電源回路と、
第１の液体に対応する第１のパラメータ群又は第２の液体に対応する第２のパラメータ群を選択するための選択インタフェースと、
前記選択インタフェース及び前記電源回路と電気的に結合し、前記第１のパラメータ群が選択されると、第１の電圧を前記霧化回路に提供するように前記電源回路を制御し、更に、第１の粒子径に基づいて前記第１の液体を霧化させ放出させるように前記圧電アクチュエータを駆動させ、前記第２のパラメータ群が選択されると、第２の電圧を前記霧化回路に提供するように前記電源回路を制御し、更に、第２の粒子径に基づいて前記第２の液体を霧化させ放出させるように前記圧電アクチュエータを駆動させるための制御回路と、
を含む霧化装置。
【請求項２】
前記選択インタフェースは、前記第１のパラメータ群に対応する第１のオプション又は前記第２のパラメータ群に対応する第２のオプションを画像に表示するための表示スクリーンを有する請求項１に記載の霧化装置。
【請求項３】
前記選択インタフェースは、更に、前記選択インタフェースによりアクセスされるように、前記第１のパラメータ群又は前記第２のパラメータ群を保存するためのデータベースと通信的に結合する請求項１又は２に記載の霧化装置。
【請求項４】
前記制御回路は、前記第１のパラメータ群が選択されると、前記第１の電圧を前記霧化回路に提供するように第１の時間内で前記電源回路を制御し、前記第２のパラメータ群が選択されると、前記第２の電圧を前記霧化回路に提供するように第２の時間内で前記電源回路を制御する請求項１〜３の何れか１項に記載の霧化装置。
【請求項５】
前記制御回路に結合され、前記第１のパラメータ群又は前記第２のパラメータ群を選択するための制御指令を無線伝送装置から受信するための無線通信モジュールを更に備える請求項１〜４の何れか１項に記載の霧化装置。
【請求項６】
前記制御指令は、更に、前記第１のパラメータ群に対応する前記第１の電圧及び第１の時間を変更し、又は前記第２のパラメータ群に対応する前記第２の電圧及び第２の時間を変更することに用いられる請求項５に記載の霧化装置。
【請求項７】
前記霧化回路及び前記制御回路と結合し、前記圧電アクチュエータが前記第１の液体又は前記第２の液体を霧化させる場合の動作周波数を取得して前記制御回路に伝送することに用いられ、フィードバック回路の取得した動作周波数が前記圧電アクチュエータの前記第１の電圧に基づいて前記第１の液体を霧化させる動作周波数に合致しない場合、又は前記フィードバック回路の取得した動作周波数が前記圧電アクチュエータの前記第２の電圧に基づいて前記第２の液体を霧化させる動作周波数に合致しない場合、前記制御回路が、前記電源回路に対する前記第１の電圧又は前記第２の電圧を前記霧化回路に提供する制御を停止するフィードバック回路を更に備える請求項１〜６の何れか１項に記載の霧化装置。
【請求項８】
霧化装置を操作するための操作方法であって、電源回路と、前記電源回路に電気的に結合され、圧電アクチュエータを有する霧化回路と、選択インタフェースと、前記選択インタフェースに電気的に結合され、前記電源回路を制御するための制御回路と、を有する霧化装置の操作方法において、
前記選択インタフェースによって第１の液体に対応する第１のパラメータ群又は第２の液体に対応する第２のパラメータ群を提供する工程と、
前記第１のパラメータ群が選択されると、前記制御回路が第１の電圧を前記霧化回路に提供するように前記電源回路を制御し、更に第１の粒子径に基づいて前記第１の液体を霧化させ放出させるように前記圧電アクチュエータを駆動させる工程と、
前記第２のパラメータ群が選択されると、前記制御回路が第２の電圧を前記霧化回路に提供するように前記電源回路を制御し、更に第２の粒子径に基づいて前記第２の液体を霧化させ放出させるように前記圧電アクチュエータを駆動させる工程と、
を備える霧化装置の操作方法。
【請求項９】
前記選択インタフェースは、前記第１のパラメータ群に対応する第１のオプション又は前記第２のパラメータ群に対応する第２のオプションを画像に表示するための表示スクリーンを有する請求項８に記載の操作方法。
【請求項１０】
前記霧化装置の前記選択インタフェースは、更に前記第１のパラメータ群又は前記第２のパラメータ群を保存するためのデータベースと更に通信的に結合し、
前記制御方法は、
前記選択インタフェースによって前記データベースから前記第１のパラメータ群又は前記第２のパラメータ群をアクセスする工程を更に備える請求項８又は９に記載の操作方法。
【請求項１１】
前記第１のパラメータ群が選択されると、前記制御回路が前記第１の電圧を前記霧化回路に提供するように第１の時間内で前記電源回路を制御し、前記第２のパラメータ群が選択されると、前記制御回路が前記第２の電圧を前記霧化回路に提供するように第２の時間内で前記電源回路を制御する請求項８〜１０の何れか１項に記載の操作方法。
【請求項１２】
前記霧化装置は、前記制御回路に結合される無線通信モジュールを更に含み、
前記制御方法は、
前記無線通信モジュールによって前記第１のパラメータ群又は前記第２のパラメータ群を選択するための制御指令を無線伝送装置から受信する工程を更に備える請求項８〜１１の何れか１項に記載の操作方法。
【請求項１３】
前記制御方法は、
前記制御回路によって前記制御指令に基づいて前記第１のパラメータ群に対応する前記第１の電圧及び第１の時間を変更し、又は前記第２のパラメータ群に対応する前記第２の電圧及び第２の時間を変更する工程を更に備える請求項１２に記載の操作方法。
【請求項１４】
前記霧化装置は、前記霧化回路及び前記制御回路に電気的に結合されるフィードバック回路を更に有し、
前記操作方法は、
前記フィードバック回路によって前記圧電アクチュエータが前記第１の液体又は前記第２の液体を霧化させる場合の動作周波数を取得して前記制御回路に伝送する工程と、
前記フィードバック回路の取得した動作周波数が前記圧電アクチュエータの前記第１の電圧に基づいて前記第１の液体を霧化させる動作周波数に合致しない場合、前記制御回路が、前記電源回路に対する前記第１の電圧を前記霧化回路に提供する制御を停止する工程と、
前記フィードバック回路の取得した動作周波数が前記圧電アクチュエータの前記第２の電圧に基づいて前記第２の液体を霧化させる動作周波数に合致しない場合、前記制御回路が、前記電源回路に対する前記第２の電圧を前記霧化回路に提供する制御を停止する工程と、を更に備える請求項８〜１３の何れか１項に記載の操作方法。
【発明の詳細な説明】
【技術分野】
【０００１】
本発明は、霧化装置及びその操作方法に関し、特に、液体類に対して霧化する霧化装置及びその操作方法に関する。
【背景技術】
【０００２】
従来の霧化装置は、何れも特定の時間内で予定のパワー及び電圧により駆動されるので、使用者がパワー又は電圧を自ら調整することはできない。しかしながら、霧化装置を薬液の霧化に使用する場合、異なる薬液が異なる物性及び濃度を持つため、霧化装置の噴霧を駆動させるパワー又は電圧により、薬液の霧化時間、投薬率及び粒子径の大きさが影響されることがある。
【０００３】
薬液は、霧化装置における網目を介して震動されて押し出されることで霧化される。ある薬液に対して、過大な駆動パワー又は電圧により霧化装置の圧電アクチュエータの揺れ幅が大きくなると、霧化される粒子径が大きくなり、更に、小粒子径の粒子が大粒子径の粒子にぶつかってより大きいな粒子になることで、霧化された薬液の肺への深さを低減させることになる。過小な駆動パワー又は電圧により、小粒子径の粒子に霧化することができるが、時間がかかる。そのため、従来の霧化装置は、明らかに欠陥があり、改良されるべきである。
【発明の概要】
【０００４】
本発明の一実施態様は、圧電アクチュエータを有する霧化回路と、電圧をそれに電気的に結合される霧化回路に選択的に提供するための電源回路と、第１の液体に対応する第１のパラメータ群又は第２の液体に対応する第２のパラメータ群を選択するための選択インタフェースと、選択インタフェース及び電源回路と電気的に結合し、第１のパラメータ群が選択されると、制御回路第１の電圧を霧化回路に提供するように電源回路を制御し、更に第１の粒子径に基づいて第１の液体を霧化させ放出させるように圧電アクチュエータを駆動させ、第２のパラメータ群が選択されると、第２の電圧を霧化回路に提供するように電源回路を制御し、更に第２の粒子径に基づいて第２の液体を霧化させ放出させるように圧電アクチュエータを駆動させる制御回路と、を含む霧化装置に関する。
【０００５】
本発明の別の実施態様は、霧化装置を操作するための操作方法であって、電源回路と、電源回路に電気的に結合され、圧電アクチュエータを有する霧化回路と、選択インタフェースと、選択インタフェースに電気的に結合され、電源回路を制御するための制御回路と、を有する霧化装置の操作方法において、選択インタフェースによって第１の液体に対応する第１のパラメータ群又は第２の液体に対応する第２のパラメータ群を提供する工程と、第１のパラメータ群が選択されると、制御回路が第１の電圧を霧化回路に提供するように電源回路を制御し、更に第１の粒子径に基づいて第１の液体を霧化させ放出させるように圧電アクチュエータを駆動させる工程と、第２のパラメータ群が選択されると、制御回路が第２の電圧を霧化回路に提供するように電源回路を制御し、更に圧電アクチュエータを第２の粒子径に基づいて第２の液体を霧化させ放出させるように駆動させる工程と、を備える霧化装置の操作方法に関する。
【発明の効果】
【０００６】
そのため、本発明の技術内容によると、本発明の実施例は、霧化装置及びその操作方法を提供することで、先行技術の霧化装置が異なる種類の液体に対して霧化できないという問題を改善する。
【図面の簡単な説明】
【０００７】
【図１】本発明の一実施例による霧化装置模式図である。
【図２】本発明の一実施例による霧化装置模式図である。
【図３】本発明の一実施例による霧化装置模式図である。
【図４】本発明の一実施例による霧化装置模式図である。
【図５】本発明の一実施例による霧化装置模式図である。
【図６】本発明の一実施例による霧化装置の操作方法の工程フロー図である。
【図７】本発明の一実施例による霧化装置の操作方法の工程フロー図である。
【発明を実施するための形態】
【０００８】
以下、図面及び詳細な記述で本発明の精神を明らかに説明し、当業者であれば、本発明の実施例を理解した上で、本発明の教示する技術に、本発明の精神や範囲から逸脱せずに、変更や修正を加えることができる。
【０００９】
本明細書の用語は、特定の実施例を説明するものだけであるが、本発明を制限するものではない。「一」、「この」、「これ」、「本」及び「前記」のような単数形態は、本明細書に用いられるように、複数形態を含む。
【００１０】
本明細書に用いられる「第１の」、「第２の」等については、順序又は順位を特定するものではなく、本発明を限定するためのものでもなく、同一の技術用語で記述される構成又は操作を区別するためのものだけである。
【００１１】
本明細書に用いられる「結合」又は「接続」については、何れも２つ又は複数の構成又は装置が互いに実質的に直接接触し、又は互いに実質的に間接接触することを指し、また、２つ又は複数の構成又は装置が互いに操作又は作動することを指すこともできる。
【００１２】
本明細書に用いられる「含む」、「備える」、「有する」、「含有する」等については、何れも開放的な用語であり、含むがそれに限定されないことを指す。
【００１３】
本明細書に用いられる「及び／又は」とは、前記事物の何れ又は全ての組み合わせを備える。
【００１４】
本明細書に用いられる上、下、左、右、前又は後ろ等の方向を示す用語については、添付図面の方向を参照させるためのものだけである。そのため、使用される方向を示す用語は、説明するためのものであり、本発明を制限するためのものではない。
【００１５】
本明細書に用いられる用語（ｔｅｒｍｓ）については、特に説明のない限り、通常、この分野で、この開示の内容と特殊内容に使用される各用語の一般的な意味を持つ。当業者へ本開示に関する記述に対する規定外の案内を提供するように、本開示を記述するためのある用語について、以下で検討する。
【００１６】
図１は、本発明の一実施例による霧化装置模式図である。本実施例において、霧化装置１は、霧化回路１００と、電源回路２００と、制御回路３００と、選択インタフェース４００と、を備える。霧化回路１００は、圧電アクチュエータ１０１を有し、電源回路２００と電気的に結合する。圧電アクチュエータ１０１は、例として、コンデンサー、抵抗及びインダクターを含む。圧電アクチュエータ１０１は、電圧を提供されると、ある動作周波数に基づいて作動することができる。電源回路２００は、霧化回路１００と電気的に結合し、異なる電圧を霧化回路１００に選択的に提供することができる。制御回路３００は、電源回路２００と電気的に結合し、電源回路２００の霧化回路１００に提供する電圧値又は電圧の提供時間を制御することに用いられる。選択インタフェース４００は、制御回路３００と電気的に結合し、第１の液体に対応する第１のパラメータ群又は第２の液体に対応する第２のパラメータ群を選択することに用いられ、更に、第１のパラメータ群に対応する第１のオプション又は第２のパラメータ群に対応する第２のオプションを画像に表示して使用者に選択させるための表示スクリーン４０１を有する。注意すべきなのは、選択インタフェース４００は、それぞれ特定の液体に対応する２つ以上のパラメータ群を選択することに用いられ、つまり、表示スクリーン４０１には使用者に選択させるための２つ以上の異なるオプションがあってよい。
【００１７】
本実施例において、霧化装置１は、薬液を霧化させるための霧化装置であってよい。霧化装置１に搭載される第１の液体は、特定濃度のＢｕｄｅｓｏｎｉｄｅ成分を含有する薬液であってよいがそれに限定されなく、霧化装置１に搭載される第２の液体は、特定濃度のＢｉｓｏｌｖｏｎ成分を含有する薬液であってよいがそれに限定されない。本実施例において、第１の液体に対応する第１のパラメータ群は、駆動電圧２８ボルト（Ｖ）を含むがそれに限定されなく、第２の液体に対応する第２のパラメータ群は、駆動電圧２７ボルト（Ｖ）を含むがそれに限定されなく、好適な粒子径及び／又は霧化時間を達成させるように、その薬液の濃度によって電圧を調整する。
【００１８】
本実施例において、使用者が表示スクリーン４０１において第１のオプションを選択すると、選択インタフェース４００が制御回路３００の入力値として第１のパラメータ群を選択するので、制御回路３００が第１のパラメータ群に基づいて第１の電圧（２８Ｖ）を霧化回路１００に提供するように電源回路２００を制御し、更に、圧電アクチュエータ１０１を第１の動作周波数で運行するように駆動させる。圧電アクチュエータ１０１が第１の動作周波数で運行する場合、霧化装置１に搭載される第１の液体（例えば、特定濃度のＢｕｄｅｓｏｎｉｄｅ成分を含有する薬液）が霧化されて放出され、霧化され放出された第１の液体の霧状の粒子が第１の粒子径を有する。例として、前記第１の粒子径のサイズは８μｍよりも小さくてよく、このような粒子径の大きさは使用者の肺の第１の液体の霧状の粒子に対する吸収率の向上に寄与する。また、本発明のある実施例において、使用者が選択インタフェース４００の表示スクリーン４０１において第１のオプションを選択すると、制御回路３００が第１の時間内のみで第１のパラメータ群に基づいて第１の電圧を霧化回路１００に提供するように電源回路２００を制御することによって、制御回路３００は第１の液体の霧化時間を制御することができる。
【００１９】
本実施例において、使用者が表示スクリーン４０１において第２のオプションを選択すると、選択インタフェース４００が制御回路３００の入力値として第２のパラメータ群を選択するので、制御回路３００が第２のパラメータ群に基づいて第２の電圧（２７Ｖ）を霧化回路１００に提供するように電源回路２００を制御し、更に、第２の動作周波数で運行するように圧電アクチュエータ１０１を駆動させることができる。圧電アクチュエータ１０１が第２の動作周波数で運行する場合、霧化装置１に搭載される第２の液体（特定濃度のＢｉｓｏｌｖｏｎ成分を含有する薬液）が霧化されて放出され、霧化され放出された第２の液体の霧状の粒子が第２の粒子径を有する。例として、前記第２の粒子径のサイズは８μｍよりも小さくてよく、このような粒子径の大きさは使用者の肺の第２の液体の霧状の粒子に対する吸収率の向上に寄与する。本発明のある実施例において、使用者が選択インタフェース４００の表示スクリーン４０１において第２のオプションを選択すると、制御回路３００が第２の時間内のみで第２のパラメータ群に基づいて第１の電圧を霧化回路１００に提供するように電源回路２００を制御することによって、制御回路３００は第２の液体の霧化時間を制御することができる。
【００２０】
図２は、本発明の一実施例による霧化装置模式図である。図１の実施例と同じように、霧化装置１は、霧化回路１００と、電源回路２００と、制御回路３００と、選択インタフェース４００と、を備えるが、本実施例において、更に、データベース５００を備える。図２に示す構成のいくつかは、番号が図１と同じであり、その作動形態が図１の実施例に記載のものと同様であるので、ここで繰り返して説明しない。
【００２１】
本実施例において、データベース５００は、選択インタフェース４００と電気的に結合する。データベース５００は、少なくとも、選択インタフェース４００によりアクセスされるように保存される第１のパラメータ群及び第２のパラメータ群を保存することに用いられる。データベース５００において、更に、第１のパラメータ群に対応する第１の時間（６０秒間）、及び第２のパラメータ群に対応する第２の時間（９０秒間）が保存される。本発明のある実施例において、第１のパラメータ群及び第２のパラメータ群は、外部装置（図示せず）によりアクセスされて更新されることができる。本発明のある実施例において、データベース５００に、複数の薬液のデータを含む薬物メニューが保存され、複数の薬物データが、何れも少なくとも１つの好適なパラメータ群（主に、好適な電圧を含む）及び好適な時間に対応する。使用者の要求に応じて、選択インタフェース４００は、霧化装置１が対応する薬液を適当に霧化させるように、データベース５００から異なる薬液に対応する好適なパラメータ群をアクセスすることができる。このように、霧化装置１は、異なる薬液によって好適な投薬率及び好適な粒子径を達成させ、更に使用者の薬液に対する肺吸収量を増やすことができる。
【００２２】
本実施例において、霧化装置１は、薬液を霧化させるための霧化装置であってよく、霧化装置１に搭載される第１の液体は特定濃度のＡｔｒｏｖｅｎｔ成分を含有する薬液であってよいがそれに限定されなく、霧化装置１に搭載される第２の液体は特定濃度のＣｏｍｂｉｖｅｎｔ成分を含有する薬液であってよいがそれに限定されない。本実施例において、第１の液体に対応する第１のパラメータ群は、駆動電圧２７ボルト（Ｖ）を含むがそれに限定されなく、第２の液体に対応する第２のパラメータ群は、駆動電圧２７ボルト（Ｖ）を含むがそれに限定されなく、好適な粒子径及び／又は霧化時間を達成させるように、その薬液の濃度によって電圧を調整する。
【００２３】
本実施例において、使用者が表示スクリーン４０１において第１のオプションを選択すると、選択インタフェース４００はデータベース５００から第１のパラメータ群及び第１の時間をアクセスし、第１のパラメータ群及び第１の時間は制御回路３００の入力値であるので、制御回路３００は第１の時間（６０秒間）内のみで第１のパラメータ群に基づいて第１の電圧（２７Ｖ）を霧化回路１００に提供するように電源回路２００を制御し、更に、圧電アクチュエータ１０１を第１の動作周波数で運行するように駆動させる。圧電アクチュエータ１０１が第１の動作周波数で運行する場合、霧化装置１に搭載される第１の液体（例えば、特定濃度のＡｔｒｏｖｅｎｔ成分を含有する薬液）が霧化されて放出され、霧化され放出された第１の液体の霧状の粒子が第１の粒子径を有する。例として、前記第１の粒子径のサイズは８μｍよりも小さくてよく、このような粒子径の大きさは使用者の肺の第１の液体の霧状の粒子に対する吸収率の向上に寄与する。第１の時間が経過すると、制御回路３００は、第１の電圧の霧化回路１００への提供を停止するように電源回路２００を制御し、第１の液体が霧化され放出されなくなる。
【００２４】
本実施例において、使用者が表示スクリーン４０１において第２のオプションを選択すると、選択インタフェース４００がデータベース５００から第２のパラメータ群及び第２の時間をアクセスし、第２のパラメータ群及び第２の時間が制御回路３００の入力値であるので、制御回路３００は第２の時間（９０秒間）内のみで第２のパラメータ群に基づいて第２の電圧（２７Ｖ）を霧化回路１００に提供するように電源回路２００を制御し、更に、第２の動作周波数で運行するように圧電アクチュエータ１０１を駆動させることができる。圧電アクチュエータ１０１が第２の動作周波数で運行する場合、霧化装置１に搭載される第２の液体（例えば、特定濃度のＣｏｍｂｉｖｅｎｔ成分を含有する薬液）が霧化されて放出され、霧化され放出された第２の液体の霧状の粒子が第２の粒子径を有する。例として、前記第２の粒子径のサイズは８μｍよりも小さくてよく、このような粒子径の大きさは使用者の肺の第１の液体の霧状の粒子に対する吸収率の向上に寄与する。第２の時間が経過すると、制御回路３００は、第２の電圧の霧化回路１００への提供を停止するように電源回路２００を制御し、第２の液体が霧化され放出されなくなる。
【００２５】
注意すべきなのは、本実施例におけるデータベース５００が霧化装置１内に設けられるが、本発明では、データベースの設置に関わる他の可能性が排除されない。例えば、本発明の他の実施例において、データベースは外部の他の装置又はサーバー内に設けられてよく、本発明の霧化装置１がデータベースと通信できれば、選択インタフェース４００は、データベースから各パラメータ群及び対応する時間をアクセスすることができる。
【００２６】
図３は、本発明の一実施例による霧化装置模式図である。図１の実施例と同じように、霧化装置１は、霧化回路１００と、電源回路２００と、制御回路３００と、選択インタフェース４００と、を備えるが、本実施例において、更に、フィードバック回路６００を備える。図３に示す構成のいくつかは、番号が図１と同じであり、その作動形態が図１の実施例に記載のものと同様であるので、ここで繰り返して説明しない。
【００２７】
本実施例において、フィードバック回路６００は、霧化回路１００と制御回路３００との間と電気的に結合する。フィードバック回路６００は、サンプリング回路（図示せず）及びフィルタリング回路（図示せず）を備えてもよい。サンプリング回路は、圧電アクチュエータ１０１が動作周波数で運行する場合に発生する調波信号、パルス波信号等の信号をサンプリングすることに用いられるが、それに限定されない。フィルタリング回路は、サンプリング回路に電気的に接続され、サンプリング回路の取得した信号における特定の周波数を採集することに用いられる。フィードバック回路６００は、更に、その取得した圧電アクチュエータ１０１が作業する場合に発生する信号を制御回路３００に伝送することができる。
【００２８】
本実施例において、霧化装置１は、薬液を霧化させるための霧化装置であってよい。霧化装置１に搭載される第１の液体は、特定濃度のＢｕｄｅｓｏｎｉｄｅ成分を含有する薬液であってよいがそれに限定なく、霧化装置１に搭載される第２の液体は、特定濃度のＢｉｓｏｌｖｏｎ成分を含有する薬液であってよいがそれに限定されない。本実施例において、第１の液体に対応する第１のパラメータ群は、駆動電圧２８ボルト（Ｖ）を含むがそれに限定されなく、第２の液体に対応する第２のパラメータ群は駆動電圧２７ボルト（Ｖ）を含むがそれに限定されなく、好適な粒子径及び／又は霧化時間を達成させるように、その薬液の濃度によって電圧を調整する。
【００２９】
本実施例において、使用者が表示スクリーン４０１において第１のオプションを選択すると、選択インタフェース４００が制御回路３００の入力値として第１のパラメータ群を選択するので、制御回路３００が第１のパラメータ群に基づいて第１の電圧（２８Ｖ）を霧化回路１００に提供するように電源回路２００を制御し、更に圧電アクチュエータ１０１を第１の動作周波数で運行するように駆動させる。圧電アクチュエータ１０１が第１の動作周波数で運行する場合、霧化装置１に搭載される第１の液体（例えば、特定濃度のＢｕｄｅｓｏｎｉｄｅ成分を含有する薬液）が霧化されて放出され、霧化され放出された第１の液体の霧状の粒子が第１の粒子径を有する。例として、前記第１の粒子径のサイズは８μｍよりも小さくてよい。しかしながら、圧電アクチュエータ１０１が作業する期間中、フィードバック回路６００が圧電アクチュエータ１０１の作業信号を持続的に取得して制御回路３００に伝送し、制御回路３００は、フィードバック回路６００の取得した信号が正常状態での圧電アクチュエータ１０１が第１の動作周波数で第１の液体（例えば、特定濃度のＢｕｄｅｓｏｎｉｄｅ成分を含有する薬液）を霧化させる信号に合致しないと判断すると、電源回路２００に対する第１の電圧を霧化回路１００に提供する制御を停止し、第１の液体が霧化され放出されなくなる。上記によると、それは、使用者の選択が正確な液体に使用されるパラメータ群に合致しない場合に霧化装置１を緊急に停止させることができるデバッグメカニズムである。本発明のある実施例において、制御回路３００は、更に、使用者が表示スクリーン４０１を介して霧化装置１に異常な状況が発生する可能性があることを快速に知るように、警報信号を選択インタフェース４００に伝えることができる。
【００３０】
本実施例において、使用者が表示スクリーン４０１において第２のオプションを選択すると、選択インタフェース４００が制御回路３００の入力値として第２のパラメータ群を選択するので、制御回路３００は、第２のパラメータ群に基づいて第２の電圧（２７Ｖ）を霧化回路１００に提供するように電源回路２００を制御し、更に第２の動作周波数で運行するように圧電アクチュエータ１０１を駆動させることができる。圧電アクチュエータ１０１が第２の動作周波数で運行する場合、霧化装置１に搭載される第２の液体（例えば、特定濃度のＢｉｓｏｌｖｏｎ成分を含有する薬液）が霧化されて放出され、霧化され放出された第２の液体の霧状の粒子が第２の粒子径を有する。例として、前記第２の粒子径のサイズは８μｍよりも小さくてよい）。圧電アクチュエータ１０１が作業する期間中、フィードバック回路６００が圧電アクチュエータ１０１の作業信号を持続的に取得して制御回路３００に伝送し、制御回路３００は、フィードバック回路６００の取得した信号が正常状態での圧電アクチュエータ１０１が第２の動作周波数で第２の液体（例えば、特定濃度のＢｉｓｏｌｖｏｎ成分を含有する薬液）を霧化させる信号に合致しないと判断すると、電源回路２００に対する第２の電圧を霧化回路１００に提供する制御を停止し、第２の液体が霧化され放出されなくなる。上記によると、それは、使用者の選択が正確な液体に使用されるパラメータ群に合致しない場合に霧化装置１を緊急に停止させることができるデバッグメカニズムである。本発明のある実施例において、制御回路３００は、更に、使用者が表示スクリーン４０１を介して霧化装置１に異常な状況が発生する可能性があることを快速に知るように、警報信号を選択インタフェース４００に伝えることができる。
【００３１】
本発明のある実施例において、制御回路３００がフィードバック回路６００の取得した信号が正常状態での圧電アクチュエータ１０１が第１の動作周波数又は第２の動作周波数で液体を霧化させるものに合致しないと判断すると、データベースにおいて、フィードバック回路６００の取得した信号が何れのパラメータ群の圧電アクチュエータ１０１での動作周波数に合致又は接近するかを対比して、対応する薬物オプションに自動的に修正する。
【００３２】
図４は、本発明の一実施例による霧化装置模式図である。図１の実施例と同じように、霧化装置１は、霧化回路１００と、電源回路２００と、制御回路３００と、選択インタフェース４００と、を備えるが、本実施例において、更に、無線通信モジュール７００を備える。図４に示す構成のいくつかは、番号が図１と同じであり、その作動形態が図１の実施例に記載のものと同様であるので、ここで繰り返して説明しない。
【００３３】
本実施例において、無線通信モジュール７００は、制御回路３００と電気的に結合する。無線通信モジュール７００は、外部の無線伝送装置２と通信接続し、第１のパラメータ群又は第２のパラメータ群を選択するための制御指令を無線伝送装置２から受信することに用いられる。つまり、本発明の上記実施例において、使用者は、制御回路３００が対応する第１のパラメータ群又は第２のパラメータ群によって電源回路２００を制御できるように、選択インタフェース４００の表示スクリーン４０１によって第１のオプション又は第２のオプションを選択することができる。しかし、本実施例において、使用者は、制御回路３００が第１のパラメータ群又は第２のパラメータ群の何れによって電源回路２００を制御するかを選択できるように、無線伝送装置２によって制御指令を発信することができる。つまり、本実施例は、本発明の霧化装置１に対する操作の別の可能性を使用者に提供する。このように、使用者が霧化装置１の選択インタフェース４００を直接操作できなくとも、依然として、霧化装置１が相変わらず異なる薬液によって好適な投薬率及び好適な粒子径を達成させるように、無線伝送装置２によって制御指令を発信することができる。
【００３４】
本実施例において、無線通信モジュール７００が無線伝送装置２から制御指令を受信すると、制御回路３００は、制御指令における第１のパラメータ群又は第２のパラメータ群に基づいて電源回路２００を制御し、更に対応する第１の電圧又は第２の電圧を霧化回路１００に提供し、その後の作動形態については、本発明の上記の他の実施例を参照できるので、ここで繰り返して説明しない。
【００３５】
しかしながら、注意すべきなのは、本発明の他の実施例において、無線伝送装置２の発信した制御指令は、第１のパラメータ群に対応する第１の電圧及び第１の時間を変更するという情報、又は第２のパラメータ群に対応する第２の電圧及び第２の時間を変更するという情報、また、他のパラメータ群に対応する電圧及び時間を変更するという情報を更に含む可能性がある。つまり、無線伝送装置２の発信した制御指令は、各パラメータ群のパラメータ値を変更又は増加することも用いられる。例えば、本実施例と本発明の図２の実施例とを合理的に組み合わせる場合、無線通信モジュール７００が無線伝送装置２から制御指令を受信すると、制御回路３００は、制御指令に基づいて図２に示すデータベース５００に保存される第１のパラメータ群又は第２のパラメータ群に対応する電圧又は時間を変更し、又は制御指令に基づいて他の種類の液体に対応するための第３のパラメータ群を増加することができる。これにより、本実施例は、ある実施態様を提供することで、霧化装置１の霧化用の電圧又は霧化の時間を更新又は増加することが可能になる。
【００３６】
図５は、本発明の一実施例による霧化装置模式図である。図面に本発明の一実施例による霧化装置の外観上面図が示される。本実施例において、霧化装置１の外観しか示されず、霧化装置の内部回路の接続関係を理解しようとするならば、本発明の図１〜４の実施例を参照されたい。図５の上面図において、霧化装置１の外部頂上面に表示スクリーン４０１が示される。表示スクリーン４０１は、薄膜トランジスターの液晶表示スクリーン（ｌｉｑｕｉｄ  ｃｒｙｓｔａｌ  ｄｉｓｐｌａｙ；ＬＣＤ）であってよく、図５に示す表示スクリーン４０１は本発明の図１〜４の実施例における表示スクリーン４０１に対応する。表示スクリーン４０１に第１のオプションＡ及び第２のオプションＢが表示され、使用者がタッチで第１のオプションＡ又は第２のオプションＢを選用することができる。一旦、第１のオプションＡ又は第２のオプションＢが選定されると、選択インタフェース（図示せず）は、制御回路（図示せず）の入力値として第１のオプションＡに基づいて第１のパラメータ群を選定し又は第２のオプションＢに基づいて第２のパラメータ群を選定し、更に、第１の液体又は第２の液体の霧化工程を行う。
【００３７】
図６は、本発明の一実施例による霧化装置の操作方法の工程フロー図である。本実施例において、この霧化装置の操作方法は、霧化装置を操作することに用いられる。霧化装置の模式図については、本発明の図１、図２、図３、図４又は図５の実施例を参照されたい。図１の実施例によると、霧化装置１は、電源回路２００と、電源回路２００と電気的に結合し圧電アクチュエータ１０１を有する霧化回路１００と、電源回路２００を制御するように選択インタフェース４００と電気的に結合する制御回路３００と、選択インタフェース４００と、を有する。本実施例において、霧化装置１の操作方法に含まれる工程については、下記段落で詳しく説明する。
【００３８】
工程Ｓ６００：選択インタフェース４００によって第１のパラメータ群又は第２のパラメータ群を提供する。第１のパラメータ群は第１の液体に対応するように設置され、第２のパラメータ群は第２の液体に対応するように設置される。図１に示すように、選択インタフェース４００は、第１のパラメータ群又は第２のパラメータ群に対応するオプションを画像に表示するための表示スクリーン４０１を有してよい。例えば、図１及び図５に示すように、図５に示す霧化装置１の表示スクリーン４０１は、第１のオプションＡ及び第２のオプションＢを表示することに用いられ、使用者が表示スクリーン４０１をタッチで第１のオプションＡ及び第２のオプションＢを選択することができ、第１のオプションＡ及び第２のオプションＢが選定されると、図１に示す選択インタフェース４００は、制御回路３００の入力値として第１のパラメータ群又は第２のパラメータ群を相応的に選択する。
【００３９】
工程Ｓ６０１：第１のパラメータ群が選択されると、制御回路３００が第１の電圧を霧化回路１００に提供するように電源回路２００を制御し、更に、第１の粒子径に基づいて第１の液体を霧化させ放出させるように圧電アクチュエータ１０１を駆動させる。図１及び図５に示すように、使用者が表示スクリーン４０１において第１のオプションＡを選定すると、選択インタフェース４００は、制御回路３００の入力値として第１のオプションＡに対応する第１のパラメータ群を選定する。制御回路３００は、第１の電圧を霧化回路１００に提供するように電源回路２００を制御し、更に、第１の粒子径に基づいて第１の液体を霧化させ放出させるように圧電アクチュエータ１０１を駆動させる。この第１の粒子径は、第１の液体に対応するように設置され、この第１の粒子径に基づいて第１の液体を霧化させ、第１の液体にその所望の効果を好適に発揮させることができる。本発明のある実施例において、図２及び図５に示すように、使用者が図５に示す表示スクリーン４０１において第１のオプションＡを選定すると、図２に示す選択インタフェース４００は、データベース５００から第１のパラメータ群をアクセスし、また、第１のパラメータ群を制御回路３００の入力値とする。
【００４０】
工程Ｓ６０２：第２のパラメータ群が選択されると、制御回路３００が第２の電圧を霧化回路１００に提供するように電源回路２００を制御し、更に第２の粒子径に基づいて第２の液体を霧化させ放出させるように圧電アクチュエータ１０１を駆動させる。図１及び図５に示すように、使用者が図５に示す表示スクリーン４０１において第２のオプションＢを選定すると、図１に示す選択インタフェース４００は、制御回路３００の入力値として第２のオプションＢに対応する第２のパラメータ群を選定する。制御回路３００が第２の電圧を霧化回路１００に提供するように電源回路２００を制御し、更に第２の粒子径に基づいて第２の液体を霧化させ放出させるように圧電アクチュエータ１０１を駆動させる。この第２の粒子径は第２の液体に対応するように設置され、この第２の粒子径に基づいて第２の液体を霧化させると、第２の液体に所望の効果を好適に発揮させることができる。本発明のある実施例において、図２及び図５に示すように、使用者が図５に示す表示スクリーン４０１において第２のオプションＢを選定すると、図２に示す選択インタフェース４００は、データベース５００から第２のパラメータ群をアクセスし、また、第２のパラメータ群を制御回路３００の入力値とすることができる。
【００４１】
図７は、本発明の一実施例による霧化装置の操作方法の工程フロー図である。本実施例において、この霧化装置の操作方法は、霧化装置を操作することに用いられる。霧化装置の模式図については、本発明の図３又は図５の実施例を参照されたい。図３の実施例によると、霧化装置１は、電源回路２００と、電源回路２００と電気的に結合し、圧電アクチュエータ１０１を有する霧化回路１００と、電源回路２００を制御するように選択インタフェース４００と電気的に結合する制御回路３００と、選択インタフェース４００と、を有する。また、霧化装置１は、霧化回路１００と制御回路３００との間と電気的に結合するフィードバック回路６００を更に有する。本実施例において、霧化装置１の操作方法に含まれる工程については、下記段落で詳しく説明する。
【００４２】
工程Ｓ７００：選択インタフェース４００によって第１のパラメータ群又は第２のパラメータ群を提供する。第１のパラメータ群は第１の液体に対応するように設置され、第２のパラメータ群は第２の液体に対応するように設置される。図３に示すように、選択インタフェース４００は、第１のパラメータ群又は第２のパラメータ群に対応するオプションを画像に表示するための表示スクリーン４０１を有してよい。例えば、図３及び図５に示すように、図５に示す霧化装置１の表示スクリーン４０１は、第１のオプションＡ及び第２のオプションＢを表示することに用いられ、使用者が表示スクリーン４０１をタッチで第１のオプションＡ及び第２のオプションＢを選択することができ、第１のオプションＡ及び第２のオプションＢが選定されると、図３に示す選択インタフェース４００は、制御回路３００の入力値として第１のパラメータ群又は第２のパラメータ群を対応的に選択する。
【００４３】
工程Ｓ７０１：工程Ｓ７００に続いて、第１のパラメータ群が選択されると、制御回路３００が第１の電圧を霧化回路１００に提供するように電源回路２００を制御し、更に、第１の粒子径に基づいて第１の液体を霧化させ放出させるように圧電アクチュエータ１０１を駆動させる。図３及び図５に示すように、使用者が図５に示す表示スクリーン４０１において第１のオプションＡを選定すると、図３に示す選択インタフェース４００は、制御回路３００の入力値として第１のオプションＡに対応する第１のパラメータ群を選定する。制御回路３００は、第１の電圧を霧化回路１００に提供するように電源回路２００を制御し、更に、第１の粒子径に基づいて第１の液体を霧化させ放出させるように圧電アクチュエータ１０１を駆動させる。この第１の粒子径は、第１の液体に対応するように設置され、この第１の粒子径に基づいて第１の液体を霧化させ、第１の液体にその所望の効果を好適に発揮させることができる。
【００４４】
工程Ｓ７０２：工程Ｓ７００に続いて、第２のパラメータ群が選択されると、制御回路３００が第２の電圧を霧化回路１００に提供するように電源回路２００を制御し、更に第２の粒子径に基づいて第２の液体を霧化させ放出させるように圧電アクチュエータ１０１を駆動させる。図３及び図５に示すように、使用者が表示スクリーン４０１において第２のオプションＢを選定すると、選択インタフェース４００は、制御回路３００の入力値として第２のオプションＢに対応する第２のパラメータ群を選定する。制御回路３００が第２の電圧を霧化回路１００に提供するように電源回路２００を制御し、更に第２の粒子径に基づいて第２の液体を霧化させ放出させるように圧電アクチュエータ１０１を駆動させる。この第２の粒子径は第２の液体に対応するように設置され、この第２の粒子径に基づいて第２の液体を霧化させると、第２の液体に所望の効果を好適に発揮させることができる。
【００４５】
工程Ｓ７０３：工程Ｓ７０１に続いて、フィードバック回路６００によって圧電アクチュエータ１０１が第１の液体を霧化させる場合の動作周波数を取得して制御回路３００に伝送する。図３に示すように、第１のパラメータ群が制御回路３００に入力されると、制御回路３００は、第１の電圧を霧化回路１００に提供するように電源回路２００を制御し、圧電アクチュエータ１０１が、第１の粒子径に基づいて第１の液体を霧化させ放出させるように駆動される。しかしながら、圧電アクチュエータ１０１が作業する場合、フィードバック回路６００は、圧電アクチュエータ１０１が動作周波数で運行する場合に発生する信号を持続的にサンプリングし、また、信号をフィルタリングした後で制御回路３００に伝送する。
【００４６】
工程Ｓ７０４：工程Ｓ７０２に続いて、フィードバック回路６００によって圧電アクチュエータ１０１が第２の液体を霧化させる場合の動作周波数を取得して制御回路３００に伝送する。図３に示すように、第２のパラメータ群が制御回路３００を入力すると、制御回路３００が第２の電圧を霧化回路１００に提供するように電源回路２００を制御し、圧電アクチュエータ１０１が、第２の粒子径に基づいて第２の液体を霧化させ放出させるように駆動される。しかしながら、圧電アクチュエータ１０１が作業する場合、フィードバック回路６００は、圧電アクチュエータ１０１が動作周波数で運行する場合に発生する信号を持続的にサンプリングし、また、信号をフィルタリングした後で制御回路３００に伝送する。
【００４７】
工程Ｓ７０５：工程Ｓ７０３に続いて、フィードバック回路６００の取得した動作周波数が第１の電圧に基づいて第１の液体を霧化させる動作周波数に合致しない場合、制御回路３００が、電源回路２００に対する第１の電圧を霧化回路１００に提供する制御を停止する。図３に示すように、フィードバック回路６００は、圧電アクチュエータ１０１が動作周波数で運行する場合に発生する信号を持続的にサンプリングし、調波信号をフィルタリングした後で制御回路３００に伝送する。制御回路３００がフィードバック回路６００により伝われた信号を受信すると、フィードバック回路６００により伝われた信号と特定の周波数とを対比し、前記特定の周波数は圧電アクチュエータ１０１が正常状態で第１の液体を霧化させるように第１の電圧により駆動される場合の参照周波数である。制御回路３００は、フィードバック回路６００により伝われた信号が特定の周波数に合致しないと判断すると、電源回路２００に対する第１の電圧を霧化回路１００に提供する制御を停止する。本発明のある実施例において、制御回路３００は、更に、使用者が霧化装置１に異常が発生する可能性があることを知るように、警報信号を選択インタフェース４００の表示スクリーン４０１に提供する。
【００４８】
工程Ｓ７０６：工程Ｓ７０４に続いて、フィードバック回路６００の取得した動作周波数が第２の電圧に基づいて第２の液体を霧化させる動作周波数に合致しない場合、制御回路３００は、電源回路２００に対する第２の電圧を霧化回路１００に提供する制御を停止する。図３に示すように、フィードバック回路６００は、圧電アクチュエータ１０１が動作周波数で運行する場合に発生する信号を持続的にサンプリングし、信号をフィルタリングした後で制御回路３００を伝送する。制御回路３００がフィードバック回路６００により伝われた信号を受信すると、フィードバック回路６００により伝われた信号と特定の周波数とを対比し、前記特定の周波数は圧電アクチュエータ１０１が正常状態で第２の液体を霧化させるように第２の電圧により駆動される場合の参照周波数である。制御回路３００は、フィードバック回路６００により伝われた信号が特定の周波数に合致しないと判断すると、電源回路２００に対する第２の電圧を霧化回路１００に提供する制御を停止する。本発明のある実施例において、制御回路３００は、更に、使用者が霧化装置１に異常が発生する可能性があることを知るように、警報信号を選択インタフェース４００の表示スクリーン４０１に提供する。
【００４９】
上記本発明の実施形態から、本発明を適用すれば、下記メリットを有することが判明される。本発明の実施例は、霧化装置及びその操作方法を提供することで、先行技術の霧化装置の異なる種類の液体に対して所望の粒子径によって霧化させ放出させることができないという問題を改善する。本発明の実施例は、コースに必要な時間に合わせて、特定の液体に対して特定の時間内で霧化させることのできる霧化装置及びその操作方法を更に提供する。本発明の実施例は、圧電アクチュエータの動作周波数をフィードバックすることで、使用者が不正確なパラメータ群を選択して霧化装置を操作するかを判断することのできる霧化装置を提供する。
【００５０】
本発明の実施形態を前述の通りに開示したが、これは、本発明を限定するものではなく、当業者であれば、本発明の精神と範囲から逸脱しない限り、多様の変更や修正を加えてもよく、したがって、本発明の保護範囲は、後の特許請求の範囲で指定した内容を基準とする。
【符号の説明】
【００５１】
１：霧化装置
２：無線伝送装置
１００：霧化回路
１０１：圧電アクチュエータ
２００：電源回路
３００：制御回路
４００：選択インタフェース
４０１：表示スクリーン
５００：データベース
６００：フィードバック回路
７００：無線通信モジュール
Ａ：第１のオプション
Ｂ：第２のオプション
Ｓ６００〜Ｓ６０２、Ｓ７００〜Ｓ７０６：工程
【図１】
2019042467.tif 000003
【図２】
2019042467.tif 000004
【図３】
2019042467.tif 000005
【図４】
2019042467.tif 000006
【図５】
2019042467.tif 000007
【図６】
2019042467.tif 000008
【図７】
2019042467.tif 000009